(57)【要約】      （修正有）【課題】前方向だけでなく側方向や後方向からも視認できる広視野角であり、尚且つ、光度の高いＬＥＤランプを提供する。【解決手段】熱伝導率の小さい材料より成る基板１２上にＬＥＤチップ２４を配置すると共に、ＬＥＤチップ２４と、第１のリード端子１６及び第２のリード端子１８とを電気的に接続する。ＬＥＤチップ２４、基板１２、第１のリード端子１６及び第２のリード端子１８の上端を、ガラス管の開口部を溶融封止して形成した気密容器２８内に封入すると共に、気密容器２８の内面全域に、ＬＥＤチップ２４の発光を所定波長の可視光に変換して放射する蛍光体層３０を形成する。【選択図】図１
0003159074.tif 000002
【実用新案登録請求の範囲】
【請求項１】
基板上にＬＥＤチップを配置すると共に、該ＬＥＤチップとリード端子とを電気的に接続し、さらに、上記ＬＥＤチップ、基板、及びリード端子の上端を、ガラス管の開口部を溶融封止して形成した透光性の気密容器内に封入すると共に、上記気密容器の内面全域に、ＬＥＤチップの発光を所定波長の可視光に変換して放射する蛍光体層を形成したことを特徴とするＬＥＤランプ。
【請求項２】
基板上にＬＥＤチップを配置すると共に、該ＬＥＤチップとリード端子とを電気的に接続し、さらに、上記ＬＥＤチップ、基板、及びリード端子の上端を、ガラス管の開口部を溶融封止して形成されると共に、先端に凸レンズ部を有する透光性の気密容器内に封入し、さらにまた、上記気密容器の内面全域に、ＬＥＤチップの発光を所定波長の可視光に変換して放射する蛍光体層を形成したことを特徴とするＬＥＤランプ。
【請求項３】
基板上にＬＥＤチップを配置すると共に、該ＬＥＤチップとリード端子とを電気的に接続し、さらに、上記ＬＥＤチップ、基板、及びリード端子の上端を、ガラス管の開口部を溶融封止して形成されると共に、先端内面に透光材を接合して凸レンズ部を形成して成る透光性の気密容器内に封入し、さらにまた、上記透光材が接合された部分以外の気密容器内面全域及び透光材の内面全域に、ＬＥＤチップの発光を所定波長の可視光に変換して放射する蛍光体層を形成したことを特徴とするＬＥＤランプ。
【請求項４】
上記基板が、熱伝導率の小さい材料で構成されていることを特徴とする請求項１〜３の何れかに記載のＬＥＤランプ。
【請求項５】
上記基板が、セラミック又はガラスで構成されていることを特徴とする請求項４に記載のＬＥＤランプ。
【考案の詳細な説明】
【技術分野】
【０００１】
この考案はＬＥＤランプ（発光ダイオードランプ）に係り、特に、前方向だけでなく側方向や後方向からも視認できる広視野角であり、尚且つ光度の高いＬＥＤランプに関する。
【背景技術】
【０００２】
近年、白熱電球や蛍光灯等に替わる照明用光源として、低消費電力で長寿命なＬＥＤ（Light Emitting Diode）ランプが注目されている。
従来の一般的なＬＥＤランプは、ＬＥＤチップを樹脂等より成る砲弾型の透光性外囲体で覆った構造となっているが、この構造では透光性外囲体の先端部に凸レンズが形成されるため、前方向への光の出射量が多く明るく発光するものの、側方向や後方向へは光が殆ど出射せず、視野角が狭かった。
【０００３】
このため、例えば、特許文献１においては、ＬＥＤチップを覆う透光性外囲体の表面に、球面状又は多角形状のビーズ、突起又は凹部を設け、ＬＥＤチップからの光を上記ビーズ、突起又は凹部で多方向に拡散させることにより、前方向だけでなく、側方向や後方向からも光を視認できるＬＥＤランプが提案されている。
【特許文献１】特開２０００−４０５０号公報
【考案の開示】
【考案が解決しようとする課題】
【０００４】
しかしながら、特許文献１で提案されたＬＥＤランプは、発光源であるＬＥＤチップから発光された光を拡散させて多方向へ放射するものであるため、光が拡散することによる光度低下の問題を生じていた。
【０００５】
本考案は、上記従来の問題点に鑑みてなされたものであり、その目的は、前方向だけでなく側方向や後方向からも視認できる広視野角であり、尚且つ、光度の高いＬＥＤランプを実現することにある。
【課題を解決するための手段】
【０００６】
上記の目的を達成するため、本考案の請求項１に記載のＬＥＤランプは、
基板上にＬＥＤチップを配置すると共に、該ＬＥＤチップとリード端子とを電気的に接続し、さらに、上記ＬＥＤチップ、基板、及びリード端子の上端を、ガラス管の開口部を溶融封止して形成した透光性の気密容器内に封入すると共に、上記気密容器の内面全域に、ＬＥＤチップの発光を所定波長の可視光に変換して放射する蛍光体層を形成したことを特徴とする。
【０００７】
本考案の請求項２に記載のＬＥＤランプは、
基板上にＬＥＤチップを配置すると共に、該ＬＥＤチップとリード端子とを電気的に接続し、さらに、上記ＬＥＤチップ、基板、及びリード端子の上端を、ガラス管の開口部を溶融封止して形成されると共に、先端に凸レンズ部を有する透光性の気密容器内に封入し、さらにまた、上記気密容器の内面全域に、ＬＥＤチップの発光を所定波長の可視光に変換して放射する蛍光体層を形成したことを特徴とする。
【０００８】
本考案の請求項３に記載のＬＥＤランプは、
基板上にＬＥＤチップを配置すると共に、該ＬＥＤチップとリード端子とを電気的に接続し、さらに、上記ＬＥＤチップ、基板、及びリード端子の上端を、ガラス管の開口部を溶融封止して形成されると共に、先端内面に透光材を接合して凸レンズ部を形成して成る透光性の気密容器内に封入し、さらにまた、上記透光材が接合された部分以外の気密容器内面全域及び透光材の内面全域に、ＬＥＤチップの発光を所定波長の可視光に変換して放射する蛍光体層を形成したことを特徴とする。
【０００９】
本考案の請求項４に記載のＬＥＤランプは、請求項１〜３の何れかに記載のＬＥＤランプにおいて、
上記基板が、熱伝導率の小さい材料で構成されていることを特徴とする。
【００１０】
本考案の請求項５に記載のＬＥＤランプは、請求項４に記載のＬＥＤランプにおいて、
上記基板が、セラミック又はガラスで構成されていることを特徴とする。
【考案の効果】
【００１１】
本考案の請求項１に記載のＬＥＤランプにあっては、ＬＥＤチップを封入する透光性の気密容器の内面全域に、ＬＥＤチップの発光を所定波長の可視光に変換して放射する蛍光体層を形成しており、蛍光体層で波長変換された可視光は様々な方向へ放射されるので、気密容器の表面全域から可視光が様々な方向へ出射されることとなり、前方向だけでなく側方向や後方向からも視認できる広視野角なＬＥＤランプを実現できる。
しかも、可視光の発光源である蛍光体層を気密容器の内面に形成したので、可視光が出射する気密容器の表面近傍に発光源が存在することになり、光度の高いＬＥＤランプが実現される。
【００１２】
また、本考案の請求項２に記載のＬＥＤランプにあっては、ＬＥＤチップを封入する透光性の気密容器の内面全域に、ＬＥＤチップの発光を所定波長の可視光に変換して放射する蛍光体層を形成しており、蛍光体層で波長変換された可視光は様々な方向へ放射されるので、気密容器の表面全域から可視光が様々な方向へ出射されることとなり、前方向だけでなく側方向や後方向からも視認できる広視野角なＬＥＤランプを実現できる。
しかも、可視光の発光源である蛍光体層を気密容器の内面に形成したので、可視光が出射する気密容器の表面近傍に発光源が存在することになり、光度の高いＬＥＤランプが実現される。
さらに、ＬＥＤチップを封入する気密容器の先端に凸レンズ部を形成したことから、気密容器先端方向へ向かう光が、上記凸レンズ部で集光されて前方向へ出射されるので、広視野角でありながら側方向や後方向に比べて前方向の光度の高いＬＥＤランプが実現できる。
【００１３】
本考案の請求項３に記載のＬＥＤランプにあっては、透光材が接合された部分以外の気密容器の内面全域及び透光材の内面全域に、ＬＥＤチップの発光を所定波長の可視光に変換して放射する蛍光体層を形成しており、蛍光体層で波長変換された可視光は様々な方向へ放射されるので、気密容器の表面全域から可視光が様々な方向へ出射されることとなり、前方向だけでなく側方向や後方向からも視認できる広視野角なＬＥＤランプを実現できる。
しかも、可視光の発光源である蛍光体層を気密容器の内面に形成したので、可視光が出射する気密容器の表面近傍に発光源が存在することになり、光度の高いＬＥＤランプが実現される。
さらに、ＬＥＤチップを封入する気密容器の先端に凸レンズ部を形成したことから、気密容器先端方向へ向かう光が、上記凸レンズ部で集光されて前方向へ出射されるので、広視野角でありながら側方向や後方向に比べて前方向の光度の高いＬＥＤランプが実現できる。
【００１４】
請求項４又は５に記載したＬＥＤランプの如く、請求項１〜請求項３に記載のＬＥＤランプにおいて、ＬＥＤチップを配置する基板をセラミック又はガラス等の熱伝導率の小さい材料で構成した場合には、ガラス管の開口部を溶融封止して気密容器を形成する際の高熱が、リード端子を通じてＬＥＤチップに直接的に伝導することが抑制され、その結果、ＬＥＤチップの熱劣化の発生を防止することができる。
【考案を実施するための最良の形態】
【００１５】
以下、図面に基づき、本考案に係るＬＥＤランプの実施形態を説明する。
図１は、本考案に係る第１のＬＥＤランプ10を示す概略縦断面図であり、該第１のＬＥＤランプ10は、熱伝導率の小さいセラミックやガラス等の絶縁性材料より成る略円盤状の基板12（図２参照）を備えており、該基板12に形成した一対の孔14ａ，14ｂに、第１のリード端子16、第２のリード端子18を挿通して成る。      
図２に示すように、上記基板12表面には、相互に絶縁された第１の導体パターン20、第２の導体パターン22が形成されている。これら導体パターン20，22は、金等の導電材料を印刷、メッキ等することにより形成される。
また、上記第１のリード端子16、第２のリード端子18の先端部16ａ，18ａを、上記孔14ａ，14ｂから若干突出させると共に略直角方向へ折り曲げ、加重・加熱することにより、第１のリード端子16の先端部16ａを第１の導体パターン20に接続し、第２のリード端子18の先端部18ａを第２の導体パターン22に接続している。
【００１６】
さらに、上記基板12の略中央位置の第２の導体パターン22上に、ＬＥＤチップ24を、共昌ハンダやＡｇペースト等の導電性ペーストを介してダイボンドすることにより、ＬＥＤチップ24底面の一方の電極（図示せず）と第２の導体パターン22とを電気的に接続している。また、ＬＥＤチップ24上面の他方の電極（図示せず）と第１の導体パターン20とを、ボンディングワイヤ26を介して電気的に接続している。
この結果、第２の導体パターン22を介して、ＬＥＤチップ24底面の一方の電極と第２のリード端子18との電気的接続が実現されると共に、ボンディングワイヤ26及び第１の導体パターン20を介して、ＬＥＤチップ24上面の他方の電極と第１のリード端子16との電気的接続が実現される。
【００１７】
上記ＬＥＤチップ24は、電圧が印加されると、後述する蛍光体を励起する紫外線や青色可視光等の所定波長の光を発光し、例えば、窒化ガリウム系半導体結晶で構成されている。
また、上記第１のリード端子16及び第２のリード端子18は、金メッキを施したジュメット線で構成されている。
【００１８】
図１において、28は、ガラス管の開口部を封止して形成した透光性の気密容器であり、該ガラス製の気密容器28内に、上記基板12、ＬＥＤチップ24、第１のリード端子16の上端、第２のリード端子18の上端が封入されている。また、上記第１のリード端子16の下端16ｂ及び第２のリード端子18の下端18ｂは、上記気密容器28の封止部28ａを貫通して外部へと導出されている。
【００１９】
上記気密容器28の内面全域に、蛍光体層30が形成されている。この蛍光体層30は、ＬＥＤチップ24から発光される紫外線や青色可視光等の光を、所定波長の可視光に変換して放射するものである。
上記蛍光体層30を構成する蛍光体としては、例えば以下の組成のものを用いることができる。
紫外線を赤色可視光に変換する赤色発光用の蛍光体として、Ｍ２Ｏ２Ｓ：Ｅｕ（Ｍは、Ｌａ、Ｇｄ、Ｙの何れか１種）、0.5ＭｇＦ２・3.5ＭｇＯ・ＧｅＯ２：Ｍｎ、2ＭｇＯ・2ＬｉＯ２・Ｓｂ２Ｏ３：Ｍｎ、Ｙ（Ｐ，Ｖ）Ｏ4：Ｅｕ、ＹＶＯ4：Ｅｕ、（Ｓｒ，Ｍｇ）3（ＰＯ4）：Ｓｎ、Ｙ２Ｏ３：Ｅｕ、ＣａＳｉＯ３：Ｐｂ，Ｍｎ等がある。
また、紫外線を緑色可視光に変換する緑色発光用の蛍光体として、ＢａＭｇ２Ａｌ１６Ｏ２７：Ｅｕ，Ｍｎ、Ｚｎ２ＳｉＯ4：Ｍｎ、（Ｃｅ，Ｔｂ，Ｍｎ）ＭｇＡｌ１１Ｏ１９、ＬａＰＯ4：Ｃｅ，Ｔｂ、（Ｃｅ，Ｔｂ）ＭｇＡｌ１１Ｏ１９、Ｙ２ＳｉＯ５：Ｃｅ，Ｔｂ、ＺｎＳ：Ｃｕ，Ａｌ、ＺｎＳ：Ｃｕ，Ａｕ，Ａｌ、（Ｚｎ，Ｃｄ）Ｓ：Ｃｕ，Ａｌ、ＳｒＡｌ２Ｏ４：Ｅｕ、ＳｒＡｌ２Ｏ４：Ｅｕ，Ｄｙ、Ｓｒ４Ａｌ１４Ｏ２５：Ｅｕ，Ｄｙ、Ｙ３Ａｌ５Ｏ１２：Ｔｂ、Ｙ３（Ａｌ，Ｇａ）５Ｏ１２：Ｔｂ、Ｙ３Ａｌ５Ｏ１２：Ｃｅ、Ｙ３（Ａｌ，Ｇａ）５Ｏ１２：Ｃｅ等がある。
更に、紫外線を青色可視光に変換する青色発光用の蛍光体として、(ＳｒＣａＢａ)５(ＰＯ４)３Ｃｌ：Ｅｕ、ＢａＭｇ２Ａｌ１６Ｏ２７：Ｅｕ、（Ｓｒ，Ｍｇ）２Ｐ２Ｏ7：Ｅｕ、Ｓｒ２Ｐ２Ｏ7：Ｅｕ、Ｓｒ２Ｐ２Ｏ７：Ｓｎ、Ｓｒ５（ＰＯ4）３Ｃｌ：Ｅｕ、ＢａＭｇ２Ａｌ１６Ｏ２７：Ｅｕ、ＣａＷＯ4、ＣａＷＯ4：Ｐｂ、ＺｎＳ：Ａｇ，Ｃｌ、ＺｎＳ：Ａｇ，Ａｌ、(Ｓｒ，Ｃａ，Ｍｇ)１０(ＰＯ４)６Ｃｌ２：Ｅｕ等がある。
また、青色可視光を発光するＬＥＤチップを光源に用いて白色光を得る場合等において、ＬＥＤチップから放射される青色可視光を緑色可視光に変換する緑色発光用の蛍光体として、Ｙ３（Ａｌ，Ｇａ）５Ｏ１２：Ｃｅ、ＳｒＧａ２Ｓ４：Ｅｕ、Ｃａ３Ｓｃ２Ｓｉ３Ｏ１２：Ｃｅ、α−ＳｉＡｌＯＮ：Ｅｕ、β−ＳｉＡｌＯＮ：Ｅｕ等がある。
さらに、青色可視光を発光するＬＥＤチップを光源に用いた場合等において、ＬＥＤチップから放射される青色可視光を赤色可視光に変換する赤色発光用の蛍光体として、（Ｓｒ，Ｃａ）Ｓ：Ｅｕ、（Ｃａ，Ｓｒ）２Ｓｉ５Ｎ８：Ｅｕ、ＣａＳｉＮ２：Ｅｕ、ＣａＡｌＳｉＮ３：Ｅｕ等がある。
上記赤色発光用の蛍光体、緑色発光用の蛍光体、青色発光用の蛍光体を適宜選択・混合して用いることで、種々の色の発色が可能である。
尚、蛍光体層30を構成する蛍光体は、有機、無機の蛍光染料や、有機、無機の蛍光顔料を含むものである。
【００２０】
上記第１のＬＥＤランプ10は、第１のリード端子16及び第２のリード端子18を介してＬＥＤチップ24に電圧が印加されると、ＬＥＤチップ24から上記蛍光体層30を励起する紫外線や青色可視光等の光が発光する。ＬＥＤチップ24から発光された光の照射を蛍光体層30が受けると、蛍光体層30はＬＥＤチップ24の光を所定波長の可視光に変換して様々な方向へ放射し、この可視光が気密容器28を透過して外部へ放射されるのである。
【００２１】
次に、上記第１のＬＥＤランプ10の製造方法を、図３乃至図７に基づいて説明する。
先ず、基板12に形成された第２の導体パターン22上に、ＬＥＤチップ24をＡｇペースト等の導電性ペーストを介してダイボンドし（図３参照）、その後、ボンディングワイヤ26を介して、ＬＥＤチップ24と第１の導体パターン20とを接続する（図示省略）。
【００２２】
また、ジュメット線より成る第１のリード端子16及び第２のリード端子18の中途部に溶融したガラスを付着させてガラスビーズ32を形成する（図４）。この結果、第１のリード端子16と第２のリード端子18とが、ガラスビーズ32によって結束される。
その後、第１のリード端子16及び第２のリード端子18の表面に、金メッキを施す。
次に、上記ガラスビーズ32の上側表面に、蛍光体を分散させた透光性結合剤を塗布することにより、ガラスビーズ32の上側表面に蛍光体層30を形成する（図５）。
【００２３】
次に、基板12に形成した一対の孔14ａ，14ｂに、第１のリード端子16、第２のリード端子18を挿通し（図６）、第１のリード端子16及び第２のリード端子18の先端部16ａ，18ａを、上記孔14ａ，14ｂから若干突出させた状態で略直角方向へ折り曲げ、第１のリード端子16の先端部16ａと第１の導体パターン20、第２のリード端子18の先端部18ａと第２の導体パターン22とを所定温度で熱圧着する。
【００２４】
次に、図７に示すように、内面に蛍光体層30を形成した試験管型のガラス管34内に、上記ガラスビーズ32を形成した第１のリード端子16及び第２のリード端子18をガラス管34の下端開口部から挿入し、上記基板12、ＬＥＤチップ24、第１のリード端子16及び第２のリード端子18の上端をガラス管34内の所定位置に配置する。
次に、ガラス管34表面におけるガラスビーズ32に対応する部分をバーナ36で加熱溶融させ、ガラス管34とガラスビーズ32とを融着させる。この結果、ガラス管34の開口部が気密に封止され、上記気密容器28が形成される。
【００２５】
尚、上記ＬＥＤチップ24の耐熱温度は約２８０℃〜３５０℃程度であり、約２８０℃〜３５０℃以上の温度で数秒〜数分間以上加熱されるとＬＥＤチップ24は熱劣化を生じる可能性が非常に高い。
上記第１のＬＥＤランプ10の製造工程において、ガラス管34とガラスビーズ32とを融着させて気密容器28を形成する際の加熱温度は約８００℃〜１０００℃程度と高熱であるが、本考案の第１のＬＥＤランプ10は、ＬＥＤチップ24をセラミック又はガラス等の熱伝導率の小さい材料より成る基板12上に配置したので、ガラス管34の開口部を溶融封止して気密容器28を形成する際の高熱が、リード端子16，18や基板12を通じてＬＥＤチップ24に直接的に伝導することが抑制され、その結果、ＬＥＤチップ24の熱劣化の発生を防止することができる。
【００２６】
而して、本考案の第１のＬＥＤランプ10にあっては、ＬＥＤチップ24を封入する透光性の気密容器28の内面全域に、ＬＥＤチップ24の発光を所定波長の可視光に変換して放射する蛍光体層30を形成しており、蛍光体層30で波長変換された可視光は様々な方向へ放射されるので、気密容器28の表面全域から可視光が様々な方向へ出射されることとなり、前方向だけでなく側方向や後方向からも視認できる広視野角なＬＥＤランプを実現できる。
しかも、第１のＬＥＤランプ10は、可視光の発光源である蛍光体層30を気密容器28の内面に形成したので、可視光が出射する気密容器28の表面近傍に発光源が存在することになり、光度の高いＬＥＤランプが実現される。
尚、蛍光体層30から放射された可視光の一部は、気密容器28内方へ向かうが、この可視光の殆どは最終的に蛍光体層30を透過して外部へ放射される。
【００２７】
尚、ＬＥＤランプは、主として前方向の対象物に対して光を照射するものとして用いられることが多いため、広視野角な場合であっても、側方向や後方向に比べて前方向の光度の高いものが求められることも多い。
そこで、図８に示す本考案の第２のＬＥＤランプ40、図９に示す本考案の第３のＬＥＤランプ50は、広視野角であると共に光度が高く、尚且つ、側方向や後方向に比べて前方向の光度を高めたＬＥＤランプを実現するものである。
【００２８】
図８は、本考案に係る第２のＬＥＤランプ40を示す概略断面図であり、該第２のＬＥＤランプ40は、気密容器42の先端に凸レンズ部44が形成されている点に特徴を有するものであり、その他の構成は上記第１のＬＥＤランプ10と実質的に同一である。
上記凸レンズ部44は、気密容器42の先端の肉厚を最大とすると共に、先端から周縁に向かって漸次薄肉となる球面状と成すことによって形成されている。
【００２９】
而して、本考案の第２のＬＥＤランプ40にあっては、ＬＥＤチップ24を封入する透光性の気密容器42の内面全域に、ＬＥＤチップ24の発光を所定波長の可視光に変換して放射する蛍光体層30を形成しており、蛍光体層30で波長変換された可視光は様々な方向へ放射されるので、気密容器42の表面全域から可視光が様々な方向へ出射されることとなり、前方向だけでなく側方向や後方向からも視認できる広視野角なＬＥＤランプを実現できる。
しかも、第２のＬＥＤランプ40は、可視光の発光源である蛍光体層30を気密容器42の内面に形成したので、可視光が出射する気密容器42の表面近傍に発光源が存在することになり、光度の高いＬＥＤランプが実現される。
さらに、第２のＬＥＤランプ40は、ＬＥＤチップ24を封入する気密容器42の先端に凸レンズ部44を形成したことから、気密容器42先端方向へ向かう光が、上記凸レンズ部44で集光されて前方向へ出射されるので、広視野角でありながら側方向や後方向に比べて前方向の光度の高いＬＥＤランプが実現できる。
【００３０】
図９は、本考案に係る第３のＬＥＤランプ50を示す概略断面図であり、該第３のＬＥＤランプ50は、気密容器52の先端内面に透光材56を接合して凸レンズ部54を形成すると共に、上記透光材56が接合された部分以外の気密容器50の内面全域及び透光材56の内面全域に蛍光体層30を形成した点に特徴を有するものであり、その他の構成は上記第１のＬＥＤランプ10と実質的に同一である。
【００３１】
上記凸レンズ部54は、気密容器52の先端位置の透光材56の肉厚を最大とすると共に、気密容器52の先端位置から周縁位置に向かって透光材56が漸次薄肉となる球面状と成すことによって形成されている。
尚、凸レンズ部54を構成する上記透光材56は、試験管型の気密容器52の先端を下側に配置した状態で、透光性を有する無機結合剤等の液状の透光材56を気密容器52内に所定量充填した後、固化させることにより形成できる。
【００３２】
而して、本考案の第３のＬＥＤランプ50にあっては、透光材56が接合された部分以外の気密容器52の内面全域及び透光材56の内面全域に、ＬＥＤチップ24の発光を所定波長の可視光に変換して放射する蛍光体層30を形成しており、蛍光体層30で波長変換された可視光は様々な方向へ放射されるので、気密容器52の表面全域から可視光が様々な方向へ出射されることとなり、前方向だけでなく側方向や後方向からも視認できる広視野角なＬＥＤランプを実現できる。
しかも、第３のＬＥＤランプ50は、可視光の発光源である蛍光体層30を気密容器52の内面に形成したので、可視光が出射する気密容器52の表面近傍に発光源が存在することになり、光度の高いＬＥＤランプが実現される。
さらに、第３のＬＥＤランプ50は、ＬＥＤチップ24を封入する気密容器52の先端に凸レンズ部54を形成したことから、気密容器52先端方向へ向かう光が、上記凸レンズ部54で集光されて前方向へ出射されるので、広視野角でありながら側方向や後方向に比べて前方向の光度の高いＬＥＤランプが実現できる。
【図面の簡単な説明】
【００３３】
【図１】本考案に係る第１のＬＥＤランプを模式的に示す概略断面図である。
【図２】基板を模式的に示す平面図である。
【図３】本考案に係る第１のＬＥＤランプの製造方法を示す説明図である。
【図４】本考案に係る第１のＬＥＤランプの製造方法を示す説明図である。
【図５】本考案に係る第１のＬＥＤランプの製造方法を示す説明図である。
【図６】本考案に係る第１のＬＥＤランプの製造方法を示す説明図である。
【図７】本考案に係る第１のＬＥＤランプの製造方法を示す説明図である。
【図８】本考案に係る第２のＬＥＤランプを模式的に示す概略断面図である。
【図９】本考案に係る第３のＬＥＤランプを模式的に示す概略断面図である。
【符号の説明】
【００３４】
10    第１のＬＥＤランプ
12    基板
14ａ  孔
14ｂ  孔
16    第１のリード端子
18    第２のリード端子
20    第１の導体パターン
22    第２の導体パターン
24    ＬＥＤチップ
28    気密容器
30    蛍光体層
32    ガラスビーズ
34    ガラス管
36    バーナ
40    第２のＬＥＤランプ
42    気密容器
44    凸レンズ部
50    第３のＬＥＤランプ
52    気密容器
54    凸レンズ部
56    透光材
【図１】
0003159074.tif 000003
【図２】
0003159074.tif 000004
【図３】
0003159074.tif 000005
【図４】
0003159074.tif 000006
【図５】
0003159074.tif 000007
【図６】
0003159074.tif 000008
【図７】
0003159074.tif 000009
【図８】
0003159074.tif 000010
【図９】
0003159074.tif 000011